(57)【要約】【課題】ナイロン座金をナットと一体化して組み付けを容易にし、かつ、金属同士の接触をなくして電食発生や座面の傷付き、振動時に発生する締結部の金属同士の接触による異音の発生を防止する。【解決手段】中心部に軸方向に貫通するねじ孔１１が形成されたナット１の底面におけるねじ孔１１周りに、ねじ孔１１より大径で下方に突出する環状係止部１２を設ける一方、この環状係止部１２の外周に貫通孔２１を有する平板状のナイロン座金２を挿通し、かつ、環状係止部１２における先端部の半径方向外方へのカシメによりナット１の底面にナイロン座金２を回転可能にカシメ止めした。【選択図】図１
2019173972.tif 000002
【特許請求の範囲】
【請求項１】
中心部に軸方向に貫通するねじ孔が形成されたナットの底面におけるねじ孔周りに、ねじ孔より大径で下方に突出する環状係止部が設けられている一方、この環状係止部の外周に貫通孔を有する平板状のナイロン座金が挿通され、かつ、環状係止部における先端部の半径方向外方へのカシメによりナットの底面にナイロン座金が回転可能にカシメ止めされていることを特徴とするナイロン座金付ナット。
【請求項２】
ナットが、中心部に軸方向に貫通するねじ孔が形成されたナット本体とナット本体の下部に一体に連設されるフランジ部とからなり、フランジ部の底面におけるねじ孔周りに、ねじ孔より大径で下方に突出する環状係止部が設けられている一方、この環状係止部の外周に貫通孔を有する平板状のナイロン座金が挿通され、かつ、環状係止部における先端部の半径方向外方へのカシメによりフランジ部の底面にナイロン座金が回転可能にカシメ止めされていることを特徴とする請求項１記載のナイロン座金付ナット。
【請求項３】
ナット又はナット本体の上部に、内周面にねじ孔の内径とほぼ同径の円弧状で半径方向内方に突出する複数の凸状係合部とねじ孔の谷径よりも大径の円弧状で複数の凹状係合部とを交互に有する平板状のゆるみ止め弾性ワッシャーがカシメ固定されていることを特徴とする請求項１又は請求項２記載のナイロン座金付ナット。
【請求項４】
ナットの上面から上方に一体に延びかつ中心部にナットのねじ孔に連続するねじ孔を有する円筒状ボスが連設され、円筒状ボスはその肉厚がナットの肉厚よりも薄く形成されていると共に、円筒状ボスの先端に、ねじ孔の２ピッチ分外周から内方に変形させると同時にそのねじ孔径及びねじ孔ピッチを変形させてなる圧縮変形部か形成されていることを特徴とする請求項１記載のナイロン座金付ナット。
【発明の詳細な説明】
【技術分野】
【０００１】  本発明は、固定ボルトなどに用いられる座金付ナットに関するものである。
【背景技術】
【０００２】  一般に、座金付ナットとしては、中心部に軸方向に貫通するねじ孔が形成されたナットにおける底面のねじ孔周りに、環状係止部が突設され、その環状係止部に、ねじ孔より大径の貫通孔を有する平板状金属板からなる座金が挿入されかつカシメ止めされた構成のものが知られている。【０００３】  そして、ナットの底面に設けられた上記座金により、被固定部材との当接面を増加し、ナットと被固定部材との座面の安定化を図ると共にナットの回転防止なども図るようにしている。
【発明の概要】
【発明が解決しようとする課題】
【０００４】  しかし、上記した従来の平板状金属板からなる座金によれば、例えば座金付ナットを金属製の被固定部材に締付けて用いたとき、金属同士の接触となるので電食が発生したり、金属製座金が被固定部材の座面を傷付けたりする問題があり、しかも、最大の問題として、振動時に発生する締結部の金属同士の接触による異音が発生するおそれがあった。その上、ゆるみ止め効果についても発揮されにくいといった問題を有していた。【０００５】  そこで、本発明は、ナイロン座金をナットと一体化して組み付け作業を容易にし、しかも、金属同士の接触をなくして電食発生や座面の傷付き、特に振動時に発生する締結部の金属同士の接触による異音の発生を防止できるナイロン座金付ナットの提供を課題とする。
【課題を解決するための手段】
【０００６】  本願の請求項１記載の発明は、中心部に軸方向に貫通するねじ孔が形成されたナットの底面におけるねじ孔周りに、ねじ孔より大径で下方に突出する環状係止部が設けられている一方、この環状係止部の外周に貫通孔を有する平板状のナイロン座金が挿通され、かつ、環状係止部における先端部の半径方向外方へのカシメによりナットの底面にナイロン座金が回転可能にカシメ止めされていることを特徴とする。【０００７】  本願の請求項２記載の発明は、請求項１の構成においてナットが、中心部に軸方向に貫通するねじ孔が形成されたナット本体とナット本体の下部に一体に連設されるフランジ部とからなり、フランジ部の底面におけるねじ孔周りに、ねじ孔より大径で下方に突出する環状係止部が設けられている一方、この環状係止部の外周に貫通孔を有する平板状のナイロン座金が挿通され、かつ、環状係止部における先端部の半径方向外方へのカシメによりフランジ部の底面にナイロン座金が回転可能にカシメ止めされていることを特徴とする。【０００８】  本願の請求項３記載の発明は、請求項１又は請求項２記載の構成において、ナット又はナット本体の上部に、内周面にねじ孔の内径とほぼ同径の円弧状で半径方向内方に突出する複数の凸状係合部とねじ孔の谷径よりも大径の円弧状で複数の凹状係合部とを交互に有する平板状のゆるみ止め弾性ワッシャーがカシメ固定されていることを特徴とする。【０００９】  本願の請求項４記載の発明は、請求項１記載の構成において、ナットの上面から上方に一体に延びかつ中心部にナットのねじ孔に連続するねじ孔を有する円筒状ボスが連設され、円筒状ボスはその肉厚がナットの肉厚よりも薄く形成されていると共に、円筒状ボスの先端に、ねじ孔の２ピッチ分外周から内方に変形させると同時にそのねじ孔径及びねじ孔ピッチを変形させてなる圧縮変形部が形成されていることを特徴とする。
【発明の効果】
【００１０】  本発明の請求項１記載のナイロン座金付ナットによれば、ナットの底面にナイロン座金が一体的に取り付けられているから、ナイロン座金付ナットの被固定部材への組み付け作業が容易にできるし、しかも、ナイロン座金を採用することにより、ナイロン座金付ナットを被固定部材に組み付けた際に、金属同士の接触をなくして電食発生や座面の傷付きを防止でき、かつ、最大の問題となる振動時に発生する締結部の金属同士の接触による異音の発生を防止できる。その上、ナイロン座金のもつ特性により座金が本来必要とする座面の安定化やゆるみ止め効果も発揮できる。【００１１】  本発明の請求項２記載のナイロン座金付ナットによれば、ナット本体とフランジ部とを一体に備えたナットのフランジ部の底面にナイロン座金が一体的に取り付けられているから、上述した請求項１記載の作用効果と同様の作用効果が得られると共に、フランジ部を設けることにより積極的に圧接面積を拡大できるので、全体としてより一層座面の安定化やゆるみ止め効果、さらには振動時に発生する締結部の金属同士の接触による異音発生の防止効果を高めることができる。【００１２】  本発明の請求項３記載のナイロン座金付ナットによれば、ナット又はナット本体下部のフランジ部にナイロン座金が一体的に取り付けられているので、上述した請求項１又は２記載の作用効果と同様の作用効果が得られる一方、ナット又はナット本体の上部にゆるみ止め弾性ワッシャーを設けているから、ナットへのボルトの螺合時、ゆるみ止め弾性ワッシャーによりボルトのねじ山に圧力をかけて摩擦トルクを増大させることができる。その結果、ナットとボルトのゆるみ止め作用をより確実かつ効果的に発揮させることが可能となり、また、この弾性ワッシャーによるゆるみ止め手段とナイロン座金との採用が相俟って、振動による金属接触音の発生をより確実に防止することができる。また、ゆるみ止め弾性ワッシャーの凹凸形状を選択することにより、手作業によりボルトへのねじ込みが容易に行なえ、作業性の向上とねじ山の傷付きや焼付きを防止することも可能となる。【００１３】  本発明の請求項４記載のナイロン座金付ナットによれば、上述した請求項１記載の構成と同様に、ナットの底面にナイロン座金が一体的に取り付けられているので、上述した請求項１と同様の作用効果が得られる一方、ナットの上面から上方に一体に延びる薄肉の円筒状ボスが連設され、この円筒状ボスの先端に、ねじ孔の２ピッチ分外周から内方に変形させると同時にそのねじ孔径及びねじ孔ピッチを変形させてなる圧縮変形部が形成されているから、ナットへのボルトの螺合時、円筒状ボスの先端に位置する圧縮変形部によりボルトのねじ山に圧力をかけて摩擦トルクを増大させることができる。その結果、ナットとボルトのゆるみ止め作用をより確実かつ効果的に発揮させることが可能となり、また、この圧縮変形部によるゆるみ止め手段とナイロン座金との採用が相俟って、振動による金属接触音の発生をより確実に防止することができる。
【図面の簡単な説明】
【００１４】
【図１】本発明に係るナイロン座金付ナットの一部切欠側面図である。
【図２】同ナイロン座金付ナットの正面図である。
【図３】フランジ部をもつナイロン座金付ナットの一部切欠側面図である。
【図４】弾性ワッシャーをもつナイロン座金付ナットの一部切欠側面図である。
【図５】同弾性ワッシャーをもつナイロン座金付ナットの正面図である。
【図６】フランジ部と弾性ワッシャーをもつナイロン座金付ナットの一部切欠側面図である。
【図７】同フランジ部と弾性ワッシャーをもつナイロン座金付ナットの正面図である。
【図８】別のナット形状のナイロン座金付ナットの一部切欠側面図である。
【図９】同ナイロン座金付ナットの正面図である。
【発明を実施するための形態】
【００１５】  以下本発明に係るナイロン座金付ナットを図に基づいて説明する。
【００１６】  図１及び図２は、本発明に係るナイロン座金付ナットを示し、このナイロン座金付ナットＮは、中心部に軸方向に貫通するねじ孔１１が形成されたナット１と、このナット１の底面にカシメ止めされた平板状ナイロン座金２とを備える。
【００１７】  ナット１の底面には、ねじ孔１１と同心でかつねじ孔１１の谷径よりも大径の環状係止部１２が設けられている。なお、ナット１の形状としては図２のように正面視六角形とするほか、たとえば四角形や八角形などの多角形或いは円筒形などであってもよい。
【００１８】  ナイロン座金２は、ナイロン製弾性板からなり、その中心部に環状係止部１２の外周に挿通可能な貫通孔２１を有する。貫通孔２１の一端内面には半径方向内方に突出する環状の凸状係合片２２が設けられている。ナイロン座金２の厚みは、カシメ止め時、環状係止部１２の先端部がナイロン座金２の座面よりも下方に突出することがないよう環状係止部１２先端の突出寸法より厚く形成されている。
【００１９】  そして、環状係止部１２の外周にナイロン座金２が挿通され、かつ、その状態で環状係止部１２の先端部を半径方向外方へカシメて拡げることにより、図１に示すように環状係止部１２の先端部とナイロン座金２の凸状係合片２２とが係合し、これによりナット１の底面にナイロン座金２が回転可能にカシメ止めされている。
【００２０】  次に、このナイロン座金付ナットの作用について説明する。
【００２１】  使用時には、ナイロン座金付ナットＮを被固定部材（図示せず）に挿嵌されたボルト（図示せず）に手作業で螺入し、その後、適宜締付工具によりナイロン座金付ナットＮを締め付けて被固定部材（図示せず）を強固に緊締して使用する。
【００２２】  その場合、ナット１にナイロン座金２が一体的に取り付けられているから、ナイロン座金付ナットＮの被固定部材への組み付け作業が容易に行なえる。また、座金としてナイロン座金２を採用することにより、ナイロン座金付ナットＮを被固定部材に組み付けた際には、金属同士の接触をなくして電食発生や座面の傷付きを防止できるし、特に、最大の問題となる振動時に発生する締結部の金属同士の接触による異音の発生を防止できる。その上、ナイロン座金２のもつ特性により座金が本来必要とする座面の安定化やゆるみ止め効果も発揮できる。
【００２３】  図３は別の実施例を示すもので、ナット１が、中心部に軸方向に貫通するねじ孔が形成されたナット本体１０とナット本体の下部に一体に連設されたフランジ部１０ａとから形成され、このナット１におけるフランジ部１０ａの底面のねじ孔１１周りに、ねじ孔１１より大径で下方に突出する環状係止部１２が設けられる一方、この環状係止部１２の外周に貫通孔２１を有する平板状のナイロン座金２が挿通され、かつ、環状係止部１２における先端部の半径方向外方へのカシメによりフランジ部１０ａの底面にナイロン座金２が回転可能にカシメ止めされた構成のものである。なお、図において上述の実施例と共通の部材についてはそれぞれ同一の符号を付して説明している。
【００２４】  このように構成した場合にも、ナット本体１０の下部にフランジ部１０ａを一体に備えたナット１にナイロン座金２が一体的に取り付けられているから、上述の実施例と同様の作用効果が得られると共に、フランジ部１０ａを設けることにより積極的に圧接面積を拡大できるので、全体としてより一層座面の安定化やゆるみ止め、さらには振動時に発生する締結部の金属同士の接触による異音発生の防止効果を高めることができる。
【００２５】  また、図４及び図５は別の実施例を示すもので、図１に示す実施例の構造に加えて、ナット１の上部に、内周面にねじ孔１１の内径とほぼ同径の円弧状で半径方向内方に突出する複数の凸状係合部３１とねじ孔１１の谷径よりも大径の円弧状で複数の凹状係合部３２とを有する平板状のゆるみ止め弾性ワッシャー３をカシメ固定した構成のものである。
【００２６】  このように構成した場合にも、ナット１の下部にナイロン座金２が一体的に取り付けられているので、上述した最初の実施例の作用効果と同様の作用効果が得られる一方、ナット１の上部に積極的にゆるみ止め弾性ワッシャー３を設けているから、ナット１へのボルトの螺合時、ゆるみ止め弾性ワッシャー３によりボルトのねじ山に圧力をかけて積極的に摩擦トルクを増大させることができる。その結果、ナット１とボルトのゆるみ止め作用をより確実かつ効果的に発揮させることが可能となり、また、この弾性ワッシャー３によるゆるみ止め手段の採用とナイロン座金２の採用とが相俟って、振動による金属接触音の発生をより確実に防止することができる。さらに、ゆるみ止め弾性ワッシャー３の凹凸形状を選択することにより、手作業によりボルトへのねじ込みが容易に行なえ、作業性の向上とねじ山の傷付きや焼付きを防止することができる。
【００２７】  また、図６及び図７は別の実施例を示すもので、図２に示すフランジ部をもつナイロン座金付ナットの実施例の構造に加えて、ナット本体１０の上部に、内周面にねじ孔１１の内径とほぼ同径の円弧状で半径方向内方に突出する複数の凸状係合部３１とねじ孔１１の谷径よりも大径の円弧状で複数の凹状係合部３２とを有する平板状のゆるみ止め弾性ワッシャー３をカシメ固定した構成のものである。
【００２８】  このように構成した場合にも、ナット本体１０の下部に一体に備えたフランジ部１０ａにナイロン座金２が一体的に取り付けられているので、上述した図２に示す実施例の作用効果と同様の作用効果が得られる一方、ナット本体１０の上部に積極的にゆるみ止め弾性ワッシャー３を設けているから、ナット１へのボルトの螺合時、ゆるみ止め弾性ワッシャー３によりボルトのねじ山に圧力をかけて積極的に摩擦トルクを増大させることができる。その結果、ナット１とボルトのゆるみ止め作用をより確実かつ効果的に発揮させることが可能となり、また、この弾性ワッシャー３によるゆるみ止め手段とナイロン座金２との採用が相俟って、振動による金属接触音の発生をより一層確実に防止することができる。さらに、ゆるみ止め弾性ワッシャー３の凹凸形状の選択により、手作業によりボルトへのねじ込みが容易に行なえ、作業性の向上とねじ山の傷付きや焼付きを防止することができる。
【００２９】  さらに、図８及び図９は別の実施例を示すもので、図１に示す実施例の構造に加えて、ナット１の上部に、円筒状ボス１３を一体に連設し、その円筒状ボス１３の先端に、複数箇所又は全周をプレスによってねじ孔１１の２ピッチ分外周から内方に変形させると同時にそのねじ孔径及びねじ孔ピッチを変形させてなる圧縮変形部（図では３点のカシメのゆるみ止め部）１３ａ…１３ａが形成されている構成としたものである。
【００３０】  このように構成した場合にも、図１に示す実施例と同様にナット１の底面にナイロン座金２が一体的に取り付けられているから、図１に示す実施例と同様の作用効果が得られる一方、ナット１の上面から上方に一体に延びる薄肉の円筒状ボス１３が連設され、この円筒状ボス１３の先端に、その周囲をプレスによってねじ孔の２ピッチ分外周から内方に変形させると同時にそのねじ孔径及びねじ孔ピッチを変形させてなる圧縮変形部１３ａ…１３ａが形成されている構成であるから、ナット１へのボルトの螺合時、円筒状ボス１３の先端に位置する圧縮変形部１３ａ…１３ａによりボルトのねじ山に圧力をかけて摩擦トルクを増大させることができる。その結果、ナット１とボルトのゆるみ止め作用を確実かつ効果的に発揮させることが可能となり、また、この圧縮変形部１３ａ…１３ａによるゆるみ止め手段とナイロン座金２との採用が相俟って、振動による金属接触音の発生をより一層確実に防止することができる。
【００３１】  なお、図に示す実施例では圧縮変形部１３ａとして、図９に示すようにプレスによって３点のカシメゆるみ止め部を形成したけれども、何ら３点に限定されるものではなく、２点や４点など３点以外であってもよいし、また全周であってもよい。
【符号の説明】
【００３２】  Ｎ        ナイロン座金付ナット
１        ナット
１０      ナット本体
１０ａ    フランジ部
１１      ねじ孔
１２      環状係止部
１３      円筒状ボス
１３ａ    圧縮変形部
２        ナイロン座金
２１      貫通孔
２２      凸状係合片
３        ゆるみ止め弾性ワッシャー
３１      凸状係合部
３２      凹状係合部
【図１】
2019173972.tif 000003
【図２】
2019173972.tif 000004
【図３】
2019173972.tif 000005
【図４】
2019173972.tif 000006
【図５】
2019173972.tif 000007
【図６】
2019173972.tif 000008
【図７】
2019173972.tif 000009
【図８】
2019173972.tif 000010
【図９】
2019173972.tif 000011